【手続補正書】
【提出日】令和1年9月13日(2019.9.13)
【手続補正１】
【補正対象書類名】特許請求の範囲
【補正対象項目名】全文
【補正方法】変更
【補正の内容】
【特許請求の範囲】
【請求項１】
第１の通信方式及び第２の通信方式によって通信可能な情報処理装置と、前記第１の通信方式及び前記第２の通信方式によって通信可能であり、且つ第１の状態と前記第１の状態より消費電力の小さい第２の状態とを含む複数の状態のうちいずれかの状態で動作する通信装置とを含むシステムの制御方法であって、
前記第１の通信方式によって、前記情報処理装置と前記通信装置との間の所定の通信を実行する第１通信ステップと、
前記通信装置が前記第２の状態で動作している状態で、前記所定の通信が実行された場合、前記通信装置の状態を前記第２の状態から前記第１の状態に遷移させる遷移ステップと、
前記通信装置の状態が前記第２の状態から前記第１の状態に遷移された後、前記第２の通信方式によって通信するための通信情報を、前記第１の通信方式によって、前記情報処理装置と前記通信装置との間で通信する第２通信ステップと、
前記通信された前記通信情報に基づいて、前記第２の通信方式によって、前記情報処理装置と前記通信装置との間で通信する第３通信ステップと、
を有することを特徴とする制御方法。
【請求項２】
前記第１の状態は、前記通信装置が備える表示部に省電力制御が実行されていない状態であり、前記第２の状態は、前記表示部に省電力制御が実行されている状態であることを特徴とする請求項１に記載の制御方法。
【請求項３】
前記第２の状態は、前記表示部に画面が表示されない状態であることを特徴とする請求項２に記載の制御方法。
【請求項４】
前記通信装置が前記第２の状態で動作している状態で、前記所定の通信が実行された場合、前記通信装置の状態を前記第２の状態から前記第１の状態に遷移させるための入力を受け付け可能な受付画面を表示する表示ステップと、をさらに有し、
前記受付画面に対して前記入力が受け付けられた場合、前記通信装置の状態が前記第２の状態から前記第１の状態に遷移されることを特徴とする請求項１乃至３のいずれか１項に記載の制御方法。
【請求項５】
前記所定の通信は、前記通信装置の状態に関する状態情報の通信を含み、
前記通信された前記状態情報が、前記通信装置が前記第２の状態であることを示す場合、前記通信装置の状態が前記第２の状態から前記第１の状態に遷移されることを特徴とする請求項１乃至４のいずれか１項に記載の制御方法。
【請求項６】
前記所定の通信は、前記通信装置の状態を前記第２の状態から前記第１の状態に遷移させるための指示情報の送信を含み、
前記指示情報が前記通信装置によって受信された場合、前記通信装置の状態が前記第２の状態から前記第１の状態に遷移されることを特徴とする請求項１乃至５のいずれか１項に記載の制御方法。
【請求項７】
前記通信装置が前記第１の状態で動作している状態で、前記所定の通信が実行された場合、前記指示情報が送信されることなく、前記通信情報が、前記第１の通信方式によって、前記情報処理装置と前記通信装置との間で通信されることを特徴とする請求項６に記載の制御方法。
【請求項８】
前記通信情報は、前記通信装置内のアクセスポイントのＳＳＩＤ、パスワード、前記通信装置が接続可能なアクセスポイントのリスト、前記通信装置のＩＰアドレスのうち少なくとも１つであることを特徴とする請求項１乃至７のいずれか１項に記載の制御方法。
【請求項９】
前記通信装置の状態が前記第２の状態から前記第１の状態に遷移された後、前記通信装置を前記情報処理装置によって遠隔操作するための遠隔操作画面を前記情報処理装置が備える表示部に表示させる機能に関する情報の通信を実行する第４通信ステップをさらに有することを特徴とする請求項１乃至８のいずれか１項に記載の制御方法。
【請求項１０】
前記通信された前記通信情報に基づく通信は、画像データの通信を含むことを特徴とする請求項１乃至９のいずれか１項に記載の制御方法。
【請求項１１】
前記画像データの通信が行われた場合、前記画像データに基づく印刷を実行する印刷ステップをさらに有することを特徴とする請求項１０に記載の制御方法。
【請求項１２】
前記第１の通信方式は、Ｂｌｕｅｔｏｏｔｈ  Ｌｏｗ  Ｅｎｅｒｇｙ（登録商標）であることを特徴とする請求項１乃至１０のいずれか１項に記載の制御方法。
【請求項１３】
前記第２の通信方式は、Ｗｉ−Ｆｉ（登録商標）であることを特徴とする請求項１乃至１０のいずれか１項に記載の制御方法。
【請求項１４】
第１の通信方式及び第２の通信方式によって通信可能な情報処理装置と、前記第１の通信方式及び前記第２の通信方式によって通信可能であり、且つ第１の状態と前記第１の状態より消費電力の小さい第２の状態とを含む複数の状態のうちいずれかの状態で動作する通信装置とを含むシステムであって、
前記第１の通信方式によって、前記情報処理装置と前記通信装置との間の所定の通信を実行する第１通信手段と、
前記通信装置が前記第２の状態で動作している状態で、前記所定の通信が実行された場合、前記通信装置の状態を前記第２の状態から前記第１の状態に遷移させる遷移手段と、
前記通信装置の状態が前記第２の状態から前記第１の状態に遷移された後、前記第２の通信方式によって通信するための通信情報を、前記第１の通信方式によって、前記情報処理装置と前記通信装置との間で通信する第２通信手段と、
前記通信された前記通信情報に基づいて、前記第２の通信方式によって、前記情報処理装置と前記通信装置との間で通信する第３通信手段と、
を有することを特徴とするシステム。
【請求項１５】
第１の状態と前記第１の状態より消費電力の小さい第２の状態とを含む複数の状態のうちいずれかの状態で動作する通信装置と、第１の通信方式及び第２の通信方式によって通信可能な情報処理装置のコンピュータに、
前記第１の通信方式によって、前記情報処理装置と前記通信装置との間の所定の通信を実行する第１通信ステップと、
前記通信装置が前記第２の状態で動作している状態で、前記所定の通信が実行された場合、前記通信装置の状態を前記第２の状態から前記第１の状態に遷移させるための通信を実行する第２通信ステップと、
前記通信装置の状態が前記第２の状態から前記第１の状態に遷移された後、前記第２の通信方式によって通信するための通信情報を、前記第１の通信方式によって、前記情報処理装置と前記通信装置との間で通信する第３通信ステップと、
前記通信された前記通信情報に基づいて、前記第２の通信方式によって、前記情報処理装置と前記通信装置との間で通信する第４通信ステップと、
を実行させることを特徴とするプログラム。
【手続補正２】
【補正対象書類名】明細書
【補正対象項目名】０００８
【補正方法】変更
【補正の内容】
【０００８】
そこで、上記目的を達成するために本発明の制御方法は、
第１の通信方式及び第２の通信方式によって通信可能な情報処理装置と、前記第１の通信方式及び前記第２の通信方式によって通信可能であり、且つ第１の状態と前記第１の状態より消費電力の小さい第２の状態とを含む複数の状態のうちいずれかの状態で動作する通信装置とを含むシステムの制御方法であって、
前記第１の通信方式によって、前記情報処理装置と前記通信装置との間の所定の通信を実行する第１通信ステップと、
前記通信装置が前記第２の状態で動作している状態で、前記所定の通信が実行された場合、前記通信装置の状態を前記第２の状態から前記第１の状態に遷移させる遷移ステップと、
前記通信装置の状態が前記第２の状態から前記第１の状態に遷移された後、前記第２の通信方式によって通信するための通信情報を、前記第１の通信方式によって、前記情報処理装置と前記通信装置との間で通信する第２通信ステップと、
前記通信された前記通信情報に基づいて、前記第２の通信方式によって、前記情報処理装置と前記通信装置との間で通信する第３通信ステップと、
を有することを特徴とする。
【手続補正３】
【補正対象書類名】明細書
【補正対象項目名】０００９
【補正方法】変更
【補正の内容】
【０００９】
また、本発明のシステムは、
第１の通信方式及び第２の通信方式によって通信可能な情報処理装置と、前記第１の通信方式及び前記第２の通信方式によって通信可能であり、且つ第１の状態と前記第１の状態より消費電力の小さい第２の状態とを含む複数の状態のうちいずれかの状態で動作する通信装置とを含むシステムであって、
前記第１の通信方式によって、前記情報処理装置と前記通信装置との間の所定の通信を実行する第１通信手段と、
前記通信装置が前記第２の状態で動作している状態で、前記所定の通信が実行された場合、前記通信装置の状態を前記第２の状態から前記第１の状態に遷移させる遷移手段と、
前記通信装置の状態が前記第２の状態から前記第１の状態に遷移された後、前記第２の通信方式によって通信するための通信情報を、前記第１の通信方式によって、前記情報処理装置と前記通信装置との間で通信する第２通信手段と、
前記通信された前記通信情報に基づいて、前記第２の通信方式によって、前記情報処理装置と前記通信装置との間で通信する第３通信手段と、
を有することを特徴とする。
【手続補正４】
【補正対象書類名】明細書
【補正対象項目名】００１０
【補正方法】変更
【補正の内容】
【００１０】
また、本発明のプログラムは、
第１の状態と前記第１の状態より消費電力の小さい第２の状態とを含む複数の状態のうちいずれかの状態で動作する通信装置と、第１の通信方式及び第２の通信方式によって通信可能な情報処理装置のコンピュータに、
前記第１の通信方式によって、前記情報処理装置と前記通信装置との間の所定の通信を実行する第１通信ステップと、
前記通信装置が前記第２の状態で動作している状態で、前記所定の通信が実行された場合、前記通信装置の状態を前記第２の状態から前記第１の状態に遷移させるための通信を実行する第２通信ステップと、
前記通信装置の状態が前記第２の状態から前記第１の状態に遷移された後、前記第２の通信方式によって通信するための通信情報を、前記第１の通信方式によって、前記情報処理装置と前記通信装置との間で通信する第３通信ステップと、
前記通信された前記通信情報に基づいて、前記第２の通信方式によって、前記情報処理装置と前記通信装置との間で通信する第４通信ステップと、
を実行させることを特徴とする。